(57)【要約】【課題】タバコ臭気と混合しても、全体の臭いの強さを有意に増加させることなく、タバコ臭気を効果的に消臭し得るタバコ臭気消臭剤を提供する。【解決手段】次の４つの成分群（Ｉ）〜（ＩＶ）：（Ｉ）脂肪族エステル化合物；（ＩＩ）（ａ）芳香族アルデヒド化合物、および／または（ｂ）ラクトン化合物；（ＩＩＩ）脂肪族ケトン化合物；並びに（ＩＶ）テルペンアルコールのうち、少なくとも２つの成分群の成分を含むタバコ臭気消臭用香料組成物と、担体および／または媒体とからなることを特徴とするタバコ臭気消臭剤。【選択図】    なし【特許請求の範囲】
【請求項１】
次の４つの成分群（Ｉ）〜（ＩＶ）：
（Ｉ）脂肪族エステル化合物；
（ＩＩ）（ａ）芳香族アルデヒド化合物、および／または（ｂ）ラクトン化合物；
（ＩＩＩ）脂肪族ケトン化合物；
（ＩＶ）テルペンアルコール
のうち、少なくとも２つの成分群の成分を含むタバコ臭気消臭用香料組成物と、担体および／または媒体とからなることを特徴とするタバコ臭気消臭剤。
【請求項２】
前記タバコ臭気消臭用香料組成物が、前記成分群（Ｉ）：（ＩＩ）：（ＩＩＩ）：（ＩＶ）の成分を、質量比で、０．５〜８：０．１〜３：０．０１〜０．３：１〜３０の割合で含有する特徴とする請求項１に記載のタバコ臭気消臭剤。
【請求項３】
液体状、固体状、粉末状、ゲル状、ミスト状またはエアゾール状の形態にある請求項１または２に記載のタバコ臭気消臭剤。
【請求項４】
前記タバコ臭気消臭用香料組成物を、０．００５〜５０質量％の割合で含有することを特徴とする請求項３に記載のタバコ臭気消臭剤。
【請求項５】
請求項１〜４のいずれか１項に記載のタバコ臭気消臭剤を０．０００５〜２０質量％の割合で含有することを特徴とする香粧品類、飲食品類、皮膚外用剤、口腔用組成物、医薬部外品、医薬品、または衛生材料。
【発明の詳細な説明】
【技術分野】
【０００１】
本発明は、タバコ臭気を効果的に除去するタバコ臭気消臭剤に関する。
【背景技術】
【０００２】
一般に、シガレット等のタバコ喫煙物品から放出される副流煙等のタバコ臭気は、特に非喫煙者にとって好ましいとはいえないものである。特に、喫煙中に周囲に放出される副流煙臭気の対策は大きな問題となっている。
【０００３】
このような悪臭や異臭を消す方法としては、非常に強い芳香を有する物質を消臭剤として用い、その強い芳香を悪臭に混合させることにより、悪臭を隠蔽する方法が主として採られてきている（非特許文献１）。
【０００４】
タバコ臭気消臭剤としては、（Ａ）アルデヒド的な香気またはグリーン的な香気を有する脂肪族アルデヒド化合物、（Ｂ）果実的な香気またはグリーン的な香気を有するベンゼン環を含むアルデヒド化合物、（Ｃ）果実的な香気またはグリーン的な香気を有するケトン化合物、（Ｄ）果実的な香気またはグリーン的な香気を有する脂肪族エステル化合物、（Ｅ）グリーン的な香気、バルサミックな香気、果実的な香気、アンバー的な香気またはスパイシーな香気を有する精油類のうち、少なくとも３種以上の群の組合せからなるタバコ臭気消臭剤（特許文献１）、クラスＩの香料アルデヒドおよびクラスＩＩの香料アルデヒドによる煙の悪臭を中和する方法（特許文献２）などが挙げられる。
【０００５】
しかしながら、このような従来の消臭剤は、通常、悪臭の強度より強い芳香を使用するものであるため、悪臭との混合後の全体としての臭いの強さが、混合前の悪臭の強さよりもかなり強くなり、結果的に不快に感じられることが多い。また、従来の消臭剤は悪臭との混合により悪臭を隠蔽できても、混合後の臭いが新たな別の不快な臭いを感じさせる場合も多い。このように、従来の消臭剤では臭いの不快さを根本的に改善するには十分には至っていない。
【０００６】
一方、本発明者らは、タバコ臭気消臭剤として、マンダリンオレンジ精油またはテルペン炭化水素を実質的に除去したマンダリン精油画分によるタバコ臭気消臭剤（特許文献３、特許文献４）、（Ｉ）オクタナール、ノナナールおよび／またはデカナール、（II）リナロール、（III）カルボン、（IV）アントラニル酸メチルおよび／またはＮ−メチルアントラニル酸メチル、（Ｖ）シネンサールおよび／またはオレンジピール精油シネンサール画分のうち、少なくとも２つの成分群の成分を含有するタバコ臭気消臭剤（特許文献５、特許文献６）により、上記問題であった混合後の臭いが新たな別の不快な臭いを感じさせることなく、柑橘系の爽やかな香気を有している消臭剤を提案した。
【０００７】
ただし、柑橘系の香気を好まない人からの別の香気の消臭剤への要望や、現在の生活様式の多様化にともない、さらなるバリエーションを求める要望があり、これらの要望に対しては、十分に満たすものには至っていなかった。
【特許文献１】特開２００２−１４３２８５号公報
【特許文献２】特開２００２−１４６３８５号公報
【特許文献３】特開２００２−１４３２８４号公報
【特許文献４】特開２００２−１４６３８６号公報
【特許文献５】特開２００２−２７５４９５号公報
【特許文献６】特表平９−５０５５００号公報
【非特許文献１】周知・慣用技術集（香料）第Ｉ部  香料一般  平成１１年１月２９日発行
【発明の開示】
【発明が解決しようとする課題】
【０００８】
従って、本発明は、喫煙中に周囲に放出される副流煙の臭気との混合後、全体の臭いを不快なレベルまで強くすることなく、更には、混合後の臭いが新たな別の不快臭となることなくタバコ臭気を隠蔽（マスク）することができるタバコ臭気消臭剤を提供することを目的とする。
【課題を解決するための手段】
【０００９】
そこで、本発明者らは、鋭意研究を行った結果、カモミールブルー精油がタバコ臭気の消臭に効果的であることを見いだし、その精油の構成成分のうちの特定の２以上の成分を含む混合物が、喫煙時に周囲に放出される副流煙の臭気との混合後、全体の臭いを不快なレベルまで強くすることなく、さらには、混合後の臭いが新たな別の不快臭となることなくタバコ臭を隠蔽（マスク）することができることを見いだした。本発明はこの知見に基づく。
【００１０】
すなわち、本発明の第１の側面によると、次の４つの成分群（Ｉ）〜（ＩＶ）：
（Ｉ）脂肪族エステル化合物；
（ＩＩ）（ａ）芳香族アルデヒド化合物、および／または（ｂ）ラクトン化合物；
（ＩＩＩ）脂肪族ケトン化合物；
（ＩＶ）テルペンアルコール
のうち、少なくとも２つの成分群の成分を含むタバコ臭気消臭用香料組成物と、担体および／または媒体とからなることを特徴とするタバコ臭気消臭剤が提供される。
【００１１】
具体的には、上記４つの成分群はそれぞれ以下の香調を有する成分群である：
（Ｉ）果実的な香気またはグリーン的な香気を有する脂肪族エステル化合物：
（ＩＩ）（ａ）花様の香気、グリーンな香気または果実的な香気を有する芳香族アルデヒド化合物：
（ＩＩ）（ｂ）花様の香気、ハーブ様の香気、スパイシーな香気または果実的な香気を有するラクトン化合物：
（ＩＩＩ）果実様の香気、花様の香気またはスパイシーな香気を有する脂肪族ケトン化合物：
（ＩＶ）花様の香気、グリーンな香気またはスパイシーな香気を有するテルペンアルコール。
【００１２】
また、本発明の第２の側面によると、本発明のタバコ臭気消臭剤を０．０００５〜２０質量％の割合で含有することを特徴とする香粧品類、飲食品類、皮膚外用剤、口腔用組成物、医薬部外品、医薬品、または衛生材料が提供される。
【発明の効果】
【００１３】
本発明によれば、タバコ臭気と混合しても、全体の臭いの強さを有意に増加することなく、タバコ臭気を効果的に消臭し得るタバコ臭気消臭剤が提供される。
【発明を実施するための最良の形態】
【００１４】
以下、本発明をより詳しく説明する。
【００１５】
本発明のタバコ臭気消臭剤に用いられるタバコ臭気消臭用香料組成物は、天然物から精製もしくは分取により獲得される精製もしくは分取香料に対して、いわゆる調合香料というべきものである。
【００１６】
本発明のタバコ臭気消臭剤に用いられるタバコ臭気消臭用香料組成物は、次の４つの成分群（Ｉ）〜（ＩＶ）：（Ｉ）脂肪族エステル化合物；（ＩＩ）（ａ）芳香族アルデヒド化合物、および／または（ｂ）ラクトン化合物；（ＩＩＩ）脂肪族ケトン化合物；および（ＩＶ）テルペンアルコールのうち、少なくとも２つの成分群の成分を含む。これら４つの成分群の成分のいずれも、カモミール精油のうちカモミールブルーの成分分析結果に基づき選択された成分である。
【００１７】
脂肪族エステル化合物（Ｉ）は、一般式（Ｉ）で示すことができる
【化１】
2009179711.tif 000002
【００１８】
（式中、Ｒ1は、炭素数１〜５個の直鎖または分枝のアルキル基であり、Ｒ2は、炭素数１〜４の直鎖または分枝のアルキル基である）。
【００１９】
このような脂肪族エステル化合物（Ｉ）の具体例としては、メタン酸メチル、メタン酸エチル、メタン酸ｎ−プロピル、メタン酸イソプロピル、メタン酸ｎ−ブチル、メタン酸イソブチル、メタン酸ｓｅｃ−ブチル、エタン酸メチル、エタン酸エチル、エタン酸ｎ−プロピル、エタン酸イソプロピル、エタン酸ｎ−ブチル、エタン酸イソブチル、エタン酸ｓｅｃ−ブチル、プロパン酸メチル、プロパン酸エチル、プロパン酸ｎ−プロピル、プロパン酸イソプロピル、プロパン酸ｎ−ブチル、プロパン酸イソブチル、プロパン酸ｓｅｃ−ブチル、プロパン酸ｔｅｒｔ−ブチル、ブタン酸メチル、ブタン酸エチル、ブタン酸ｎ−プロピル、ブタン酸イソプロピル、ブタン酸ｎ−ブチル、ブタン酸イソブチル、ブタン酸ｓｅｃ−ブチル、２−メチルプロパン酸メチル、２−メチルプロパン酸エチル、２−メチルプロパン酸ｎ−プロピル、２−メチルプロパン酸イソプロピル、２−メチルプロパン酸ｎ−ブチル、２−メチルプロパン酸イソブチル、２−メチルプロパン酸ｓｅｃ−ブチル、ペンタン酸メチル、ペンタン酸エチル、ペンタン酸ｎ−プロピル、ペンタン酸イソプロピル、ペンタン酸ｎ−ブチル、ペンタン酸イソブチル、ペンタン酸ｓｅｃ−ブチル、２−メチルブタン酸メチル、２−メチルブタン酸エチル、２−メチルブタン酸ｎ−プロピル、２−メチルブタン酸イソプロピル、２−メチルブタン酸ｎ−ブチル、２−メチルブタン酸イソブチル、２−メチルブタン酸ｓｅｃ−ブチル、３−メチルブタン酸メチル、３−メチルブタン酸エチル、３−メチルブタン酸ｎ−プロピル、３−メチルブタン酸イソプロピル、３−メチルブタン酸ｎ−ブチル、３−メチルブタン酸イソブチル、３−メチルブタン酸ｓｅｃ−ブチル等の炭素数１〜９アルキルエステルを挙げることができる。
【００２０】
これらは、Ｒ−体、Ｓ−体またはラセミ体のいずれでもよいが、好ましくはＳ−体である。
【００２１】
芳香族アルデヒド化合物（ＩＩ）（ａ）は、一般式（ＩＩ）で示すことができる
【化２】
2009179711.tif 000003
【００２２】
（式中、Ｒ3は、水素、炭素数１〜３個のアルキル基、水酸基、または鎖状若しくは環状のアルコキシ基であり、Ｒ4は、炭素数０〜９個の直鎖若しくは分枝状の飽和又は不飽和アルキル基である）。
【００２３】
このような芳香族アルデヒド化合物（ＩＩ）（ａ）の具体例としては、α−アミルシンナムアルデヒド、アニスアルデヒド、ベンズアルデヒド、シンナムアルデヒド、クミンアルデヒド、シクラメンアルデヒド、ジヒドロシンナムアルデヒド、エチルバニリン、α−ヘキシルシンナムアルデヒド、ハイドラトロプアルデヒド、フェニルアセトアルデヒド、ピペロナール、バニリン等を挙げることができる。
【００２４】
ラクトン化合物（ＩＩ）（ｂ）は、一般式（ＩＩＩ）で示すことができる
【化３】
2009179711.tif 000004
【００２５】
（式中、Ｒ5、Ｒ6、Ｒ7は、水素、または置換または無置換の炭素数１〜６の直鎖状、分枝状若しくは脂環式の飽和若しくは不飽和炭化水素基であり、Ｒ5とＲ6、またはＲ6とＲ7は互いに結合して置換基を共有していてもよいし、または芳香族若しくは脂肪族の、飽和若しくは不飽和結合を含む環を形成していてもよく、ｎは１または２を示す）。ここで、一般式（ＩＩＩ）で示すラクトン環は飽和又は不飽和結合により形成される。
【００２６】
このようなラクトン化合物（ＩＩ）（ｂ）の具体例としては、α−アンゲリカラクトン、３−ブチリデンフタリド、γ−ブチロラクトン、クマリン、δ−デカラクトン、γ−デカラクトン、δ−ドデカラクトン、γ−ドデカラクトン、δ−ヘプタラクトン、γ−ヘプタラクトン、δ−ヘキサラクトン、γ−ヘキサラクトン、ジャスモラクトン、β−メチル−γ−オクタラクトン、ミントラクトン、δ−ノナラクトン、γ−ノナラクトン、δ−オクタラクトン、γ−オクタラクトン、３−プロピリデンフタリド、δ−ウンデカラクトン、γ−ウンデカラクトン、δ−バレロラクトン、γ−バレロラクトン等を挙げることができる。ラクトン化合物（ＩＩ）（ｂ）については、Ｒ−体、Ｓ−体またはラセミ体のいずれでもよいが、好ましくはＲ−体である。
【００２７】
脂肪族ケトン化合物（ＩＩＩ）は、一般式（ＩＶ）で示すことができる
【化４】
2009179711.tif 000005
【００２８】
（式中、Ｒ8およびＲ9は、置換または無置換の炭素数１〜１２個の直鎖状、分枝状若しくは脂環式の飽和または不飽和炭化水素基であり、Ｒ8およびＲ9は互いに結合して置換基を共有していてもよいし、または環を形成していてもよい）。
【００２９】
このような脂肪族ケトン化合物（ＩＩＩ）の具体例としては、カンファー、カルボン、カルボンオキシド、α−ダマセノン、β−ダマセノン、α−ダマスコン、β−ダマスコン、δ−ダマスコン、デヒドロヌートカトン、ジヒドロ−α−ヨノン、ジヒドロ−β−ヨノン、ジヒドロカルボン、ジヒドロジャスモン、１，１０−ジヒドロヌートカトン、エチルアミルケトン、エチルマルトール、フラネオール、α−ヨノン、β−ヨノン、α−イロン、イソジャスモン、α−イソメチルヨノン、ｃｉｓ−ジャスモン、ｔｒａｎｓ−ジャスモン、マルトール、メチルアミルケトン、メチルヘキシルケトン、メチルノニルケトン、メチル−α−ヨノン、ピペリトン、プレゴン、ベルベノン等の化合物が挙げられる。
【００３０】
テルペンアルコール（ＩＶ）の具体例としては、リナロール、ゲラニオール、ネロール、シトロネロール、ジメチルオクタノール、ヒドロキシシトロネロール、テトラヒドロリナロール、ラバンデュロール、ミルセノール、テルピネオール、アルテミシアアルコール、ヨモギアルコール、ボルネオール、イソプレゴール、ノポール、メントール、ビサボロール、ファルネソール、ネロリドール、ジヒドロファルネソール、セドロール、パチュリアルコール、ベチベロール、サンタロール、ビサボロールオキシドＡ、ビサボロールオキシドＢ、カジノール、スパチュレノール、グロブロール等を挙げることができる。
【００３１】
成分群（Ｉ）〜（ＩＶ）を構成する成分を、以下、特定成分ということがある。
【００３２】
本発明のタバコ臭気消臭剤に用いられるタバコ臭気消臭用香料組成物は、（Ｉ）〜（ＩＶ）の成分群の少なくとも２以上の組み合わせからなるのが通常である。
【００３３】
成分群（Ｉ）〜（ＩＶ）における成分が混合物の形態でタバコ臭気消臭用香料組成物に含まれる場合、その混合物を１成分とみなすとき、タバコ臭気消臭用香料組成物は、以下の２特定成分系〜４特定成分系を含む。
【００３４】
＜２特定成分系＞
（Ｉ）と、（ＩＩ）、（ＩＩＩ）または（ＩＶ）との組み合わせ；
（ＩＩ）と、（ＩＩＩ）または（ＩＶ）との組み合わせ；
（ＩＩＩ）と、（ＩＶ）との組み合わせ。
【００３５】
＜３特定成分系＞
（Ｉ）と、（ＩＩ）と、（ＩＩＩ）または（ＩＶ）との組み合わせ；
（Ｉ）と、（ＩＩＩ）と、（ＩＶ）との組み合わせ；
（ＩＩ）と、（ＩＩＩ）と、（ＩＶ）との組み合わせ。
【００３６】
＜４特定成分系＞
（Ｉ）と、（ＩＩ）と、（ＩＩＩ）と、（ＩＶ）との組み合わせ。
【００３７】
本発明のタバコ臭気消臭剤に用いられるタバコ臭気消臭用香料組成物は、その特定成分数が多くなるほど、所期の効果がより一層顕著なものとなる。すなわち、２特定成分系の香料組成物よりも３特定成分系の香料組成物の方が好ましく、３特定成分系の香料組成物よりも４特定成分系の香料組成物の方が好ましい。
【００３８】
本発明のタバコ臭気消臭剤に用いられるタバコ臭気消臭用香料組成物を構成する４特定成分は、好ましくは、（Ｉ）：（ＩＩ）：（ＩＩＩ）：（ＩＶ）＝０．５〜８：０．１〜３：０．０１〜０．３：１〜３０の質量比で配合される。ここで、２特定成分系における２つの特定成分の質量比、３特定成分系における３つの特定成分の質量比、４特定成分系における４つの特定成分の質量比は、ここで述べた質量比における数値がそのまま適用される（以下、特定成分の比について同じ）。すなわち、今、（Ｉ）：（ＩＩ）：（ＩＩＩ）：（ＩＶ）の上記質量比を、簡便のために、Ａ：Ｂ：Ｃ：Ｄで表すと、例えば、（ＩＩ）と（ＩＩＩ）の２成分系における（ＩＩ）と（ＩＩＩ）の比は、Ｂ：Ｃが好ましく、（Ｉ）と（ＩＶ）との２成分系における（Ｉ）と（ＩＶ）の比は、Ａ：Ｄが好ましい。同様に、例えば、（Ｉ）と（ＩＩ）と（ＩＩＩ）の３成分系における（Ｉ）と（ＩＩ）と（ＩＩＩ）の比は、Ａ：Ｂ：Ｃが好ましい。また、例えば、（Ｉ）と（ＩＩ）と（ＩＩＩ）と（ＩＶ）の４成分系における（Ｉ）と（ＩＩ）と（ＩＩＩ）と（ＩＶ）の比は、Ａ：Ｂ：Ｃ：Ｄが好ましい。
【００３９】
特に好ましいタバコ臭気消臭用香料組成物における特定成分の質量比（Ｉ）：（ＩＩ）：（ＩＩＩ）：（ＩＶ）は、１．０〜３．０：０．１〜０．５：０．０２〜０．０５：１〜２０である。
【００４０】
本発明のタバコ臭気消臭剤に用いられるタバコ臭気消臭用香料組成物は、上記特定成分以外に他の成分を含むことができる。そのような他の成分としては、上記特定成分以外のカモミールブルー精油成分を好ましく例示することができる。本発明のタバコ臭気消臭剤に用いられるタバコ臭気消臭用香料組成物に含有され得る他のカモミールブルー精油成分の例を挙げると、α−ピネン、β−ピネン、カンフェン、サビネン、ミルセン、ｐ−サイメン、カリオフィレン、カジネン、イソアミルアルコール、オイゲノール、シネオール、テーピネン、酢酸ヘキシル、ミルテナール等である。本発明のタバコ臭気消臭剤に用いられるタバコ臭気消臭用香料組成物は、特定成分を合計で、０．１質量％以上の割合で含有することが好ましく、５質量％以上の割合で含有することがより好ましく、３０質量％以上の割合で含有することがさらに好ましい。
【００４１】
本発明のタバコ臭気消臭剤の剤形としては、液体状、固体状、粉末状、ゲル状、ミルト状、またはエアゾール状等を例示することができる。
【００４２】
また、担体も、これに応じて、例えば、液体状基剤、固体状基剤、粉末状基剤、ゲル状基剤、ミルト状基剤、またはエアゾール状基剤を使用することができる。
【００４３】
本発明において、タバコ臭気消臭用消臭組成物を担体に担持する方法には、例えば、液体状基剤、ゲル状基剤、ミルト状基剤にあっては、界面活性剤、ゲル剤、水溶性高分子等を担体として用い、それらから形成されるミセルまたはゲルの内部に消臭組成物を保持することを、また固体状基剤、粉末状基剤、エアゾール状基剤にあっては、シリカゲル等の粉末または粒状成形物の表面に消臭組成物を保持することを含む。
【００４４】
本発明において、液体状基剤としては、ポリオキシエチレンソルビタンモノオレエート、ポリオキシエチレンソルビタンモノステアレート、ポリオキシエチレン硬化ヒマシ油等の非イオン性界面活性剤；ポリオキシラウリルエーテルリン酸ナトリウム等の陰イオン性界面活性剤等を例示することができる。
【００４５】
ゲル状基剤としては、カラギーナン、ジュランガム、トラガントガム、寒天、ゼラチン、ペクチン等の各種植物、動物、藻類、微生物等から抽出されるゲル剤；ステアリン酸ナトリウム、１２−ヒドロキシステアリン酸ナトリウム等のゲル剤として使用される金属石鹸；ポリビニルアルコール、セルロース誘導体、澱粉、澱粉誘導体等の水溶性有機高分子から形成されたもの等を例示することができる。
【００４６】
固体基剤としては、シリカゲル、アルミナ、ゼオライト、けい藻土、ケイ酸カルシウム、パルプ、セルロース等の粉末または粒状成型物等を例示することができる。
【００４７】
ミスト状基剤としては、ポリオキシエチレンソルビタンモノオレエート、ポリオキシエチレンソルビタンモノステアレート、ポリオキシエチレン硬化ヒマシ油等の非イオン性界面活性剤；ポリオキシラウリルエーテルリン酸ナトリウム等の陰イオン性界面活性剤等を例示することができる。
【００４８】
エアゾール状基剤としては、球状シリカゲル等の球状成形物を例示することができる。
【００４９】
本発明の液体状消臭剤、固体状消臭剤、粉末状消臭剤、ゲル状消臭剤、ミスト状消臭剤、エアゾール状消臭剤等のタバコ臭気消臭剤は、それぞれ期待される効果・作用に応じて任意に加減されるが、タバコ臭気消臭用香料組成物を一般的には約０．００５〜５０質量％の割合で含有することが望ましい。
【００５０】
本発明のタバコ臭気消臭剤を実用に供するに当たっては香粧品類、飲食品類、皮膚外用剤、口腔用組成物または衛生材料に添加した形態とすることができる。
【００５１】
香粧品類としては、柔軟化粧水、収れん化粧水、ふきとり用化粧水、乳液、全身用ローション、アフターシェービングローションおよびジェル、マッサージクリーム、クレンジングクリームおよびジェル、制汗剤、アイパック剤、シャンプー類、ヘヤークリーム類、ヘヤートニック類、ポマード類、リンス類、コンディショナー類、育毛ローションその他の毛髪用化粧品基剤；オシロイ、口紅、その他化粧料基材や化粧料洗剤等を挙げることができる。
【００５２】
飲食品類としては、例えば、果汁飲料類、果実酒類、乳飲料類、炭酸飲料、ドリンク剤類の如き飲料類；アイスクリーム類、シャーベット類、アイスキャンディー類の如き冷菓；和・洋菓子類、ジャム類、キャンディー類、ゼリー類、ガム類、パン類、コーヒー類、ココア類、紅茶類、ウーロン茶類、緑茶類の如き嗜好飲料類；和風スープ、洋風スープ、中華スープの如きスープ類、風味調味料、各種インスタント飲料乃至食品類、各種スナック食品類等を挙げることができる。
【００５３】
皮膚外用剤としては、例えば、エアゾール製剤、ハップ剤、軟膏剤、入浴剤等を挙げることができる。
【００５４】
口腔用組成物としては、例えば、歯磨き、口腔洗浄料、マウスウォッシュ、チューインガム類等を挙げることができる。
【００５５】
衛生材料としては、例えば、洗濯用洗剤類、消毒用洗剤類、防臭洗剤類、室内芳香剤、（室内消臭剤）、石鹸、皿洗い洗剤、ソフトナー類、ファーニチアケアー、その他保健衛生用洗剤類；ティッシュペーパー、トイレットペッパー等の各種保健衛生材料類；医薬品の服用を容易にするための矯味、賦香剤など保健・衛生・医薬品類等を挙げることができる。
【００５６】
本発明のタバコ臭気消臭剤は、必須成分として上記特定成分の２種以上、好ましくは３種以上とこれを担持する担体とを含有していればよいが、これらを香粧品、飲食品、皮膚外用剤、口腔用組成物、衛生材料等に使用する場合、そのままの状態、あるいはこれらを例えば、アルコール類、プロピレングリコール、グリセリン等の多価アルコール類に溶解した液体形態；グリセリン脂肪酸エステル、ショ糖脂肪酸エステル等の乳化剤で乳化した乳化形態；アラビアガム、トラガントガム等の天然ガム質類、ゼラチン、デキストリン等の賦形剤を用いて被膜させた粉末形態；界面活性剤、例えば非イオン界面活性剤、アニオン界面活性剤、ノニオン界面活性剤、カチオン界面活性剤、両性界面活性剤等を用いて可溶化または分散化した可溶化状または分散化形態；またはカプセル化剤で処理して得られるマイクロカプセル形態等その目的に応じてその形態を選択して用いることができる。
【００５７】
さらに、シクロデキストリン等の包接剤に包接して、本発明のタバコ臭気消臭剤を安定化するとともに徐放性にして用いることもある。これらは、最終製品の形態、例えば液体状、固体状、粉末状、ゲル状、ミスト状、エアゾール状等の形態に適するように適宜選択して用いられる。
【００５８】
また、本発明のタバコ臭気消臭剤は、他の防臭・消臭剤、例えば、香料、酸化剤、還元剤、中和剤、無機系消臭剤（無機塩基、無機酸、金属酸化物、塩素化合物、オゾン、多孔物質等）、界面活性剤（非イオン系、アニオン系、カチオン系、ノニオン系、両性系等）等としばしば併用される。
【００５９】
なお、香粧品、飲食品、皮膚外用剤、口腔用組成物、衛生材料等の最終製品へのタバコ臭気消臭剤の添加量は、それぞれ場合によって期待される効果・作用に応じて任意に加減されるが、一般的には、最終製品の総質量に対し約０．０００５〜２０質量％程度である。
【実施例】
【００６０】
以下に実施例を挙げ、本発明を詳細に説明するが、本発明はこれらによってなんら限定されるものではなく、また本発明はこれらの実施例に限定されるものではない。
【００６１】
調製例１〜７
下記表１に示す成分を同表に示す割合で配合して本発明のタバコ臭気消臭剤に用いられるタバコ臭気消臭用香料組成物を調製した。
【表１】
2009179711.tif 000006
【００６２】
＜消臭効果試験＞
調製例１〜７で調製したタバコ臭気消臭用香料組成物のタバコ臭気消臭効果を以下の官能評価方法（部屋法）により評価した。
【００６３】
（部屋法）
人の出入りのためのドアを１つ有する以外は、密閉された部屋（容量８０ｍ3）を２つ（Ａ室、Ｂ室とする）準備する。ドアを閉めた状態で、ＡおよびＢ室内で通常のシガレット７本を自然燃焼させ、副流煙で充満させる。Ｂ室内には、副流煙で充満させた後、各香料のエタノール溶液を空気スプレーにより噴霧した。パネルを２グループに分け、一方のグループは全員が同時にＡ室から入り、Ａ室を出た後、Ｂ室に入り、Ｂ室を出て、再びＡ室に入り、Ａ室を出て、以下の項目について結果を報告する。他方のグループは、全員が同時にＢ室から入り、Ｂ室を出た後、Ａ室に入り、Ａ室を出て、再びＢ室に入り、Ｂ室を出て、以下の評価項目について結果を報告する。部屋の移動に際しては、次の部屋に入るまでに、それぞれ３０秒のインターバルをとる。なお、初期の過敏な感覚を排除するために、最初の入室時の感覚は評価対象とせず、２回目と３回目の入室時の感覚を比較することで評価を行う。
【００６４】
１．臭い全体の強さが強い部屋はどちらの部屋か
２．臭いのよい部屋はどちらの部屋か
３．タバコ臭の強い部屋はどちらの部屋か。
【００６５】
その結果、評価項目１〜３それぞれにおいて、Ｂ室（香料組成物を噴霧した部屋）と答えたパネルの数のパネルの総数に対するパーセンテージを求め、評価結果とする。従って、臭気全体の強さ（全体強度）とタバコ臭（タバコ臭強度）については、数値が小さいほど好ましく、臭いの良さについては、数値が大きいほど好ましい。パネルは、任意に抽出した成人（２５〜５０歳、男女、喫煙者であるか否かの区別なし）であり、タバコ臭についての専門の訓練を受けていない普通人であった。
【００６６】
表１の香料組成物について、副流煙臭気を上記部屋法により評価した。評価結果を表２に示す。表２には、噴霧した香料組成物の量も示されている。
【表２】
2009179711.tif 000007
【００６７】
表２からわかるよう、本発明のタバコ臭気消臭剤に用いられるタバコ臭気消臭用香料組成物は、タバコ臭気と混合しても、全体の臭いの強さを有意に増加することなく、タバコ臭気を効果的に消臭し得る。
【００６８】
実施例１：粒状消臭剤
（Ｉ）調製例１で調製したタバコ臭気消臭用香料組成物を用い、下記表３に示す組成の粒状消臭剤用消臭組成物を調製した。
【表３】
2009179711.tif 000008
【００６９】
（ＩＩ）下記表４に示す（Ｃ）のシリカゲルに（Ｂ）のプロピレングリコールを加えゆっくり撹拌し、プロピレングリコールがシリカゲルに吸収されてシリカゲル表面が乾いた後、（Ａ）の消臭組成物を加え、ゆっくり撹拌しながらシリカゲルに吸収させて粒状消臭剤を得た。
【表４】
2009179711.tif 000009
【００７０】
実施例２：粒状消臭剤
下記表５に示す（Ｃ）のシリカゲルに（Ｂ）のプロピレングリコールを加えゆっくり撹拌し、プロピレングリコールがシリカゲルに吸収されてシリカゲル表面が乾いた後、（Ａ）の消臭組成物を加え、ゆっくり撹拌しながらシリカゲルに吸収させて粒状消臭剤を得た。
【表５】
2009179711.tif 000010
【００７１】
実施例３：ミスト状消臭剤
（Ｉ）調製例５で調製したタバコ臭気消臭用香料組成物を用い、下記表６に示す組成のミスト状消臭剤用消臭組成物を調製した。
【表６】
2009179711.tif 000011
【００７２】
（ＩＩ）下記表７に示す（Ａ）の４成分を混合し、完全に溶解させた後、あらかじめ（Ｂ）のメチルパラベンを溶解した精製水に加え、撹拌溶解してミスト状消臭剤を得た。
【表７】
2009179711.tif 000012
【００７３】
実施例４：ミスト状消臭剤
下記表８に示す（Ａ）の４成分を混合し、完全に溶解させた後、あらかじめ（Ｂ）のメチルパラベンを溶解した精製水に加え、撹拌溶解してミスト状消臭剤を得た。
【表８】
2009179711.tif 000013
【００７４】
実施例５：水ベース系消臭剤
（Ｉ）調製例６で調製したタバコ臭気消臭用香料組成物を用い、下記表９に示す組成の水ベース系消臭剤用消臭組成物を調製した。
【表９】
2009179711.tif 000014
【００７５】
（ＩＩ）下記表１０に示す精製水とプロピレングリコールと塩化カルシウムを均一になるまで撹拌した。その後、カラギーナンとローストビーンガムおよびメチルパラベンを少量ずつ撹拌しながら加えた。ついで、撹拌しながら８０℃まで加温し、混合液が懸濁液となった後、加温を停止し放冷した。約６５℃まで冷却後、実施例５（Ｉ）の水ベース系消臭剤用消臭組成物とモノオレイン酸ポリオキシエチレンソルビタンを加え、撹拌した。その後、５５℃で、この混合物が懸濁液になるまで撹拌し、下記表１０に示す組成の水ベース系ゲル状消臭剤を得た。
【表１０】
2009179711.tif 000015
【００７６】
実施例６：水ベース系ゲル状消臭剤
下記表１１に示す精製水とプロピレングリコールと塩化カルシウムを均一になるまで撹拌した。その後、カラギーナンとローストビーンガムおよびメチルパラベンを少量ずつ撹拌しながら加えた。ついで、撹拌しながら８０℃まで加温し、混合液が懸濁液となった後、加温を停止し放冷した。約６５℃まで冷却後、調製例６で調製したタバコ臭気消臭用香料組成物とモノオレイン酸ポリオキシエチレンソルビタンを加え撹拌した。その後、５５℃で、この混合物が懸濁液になるまで撹拌し、下記表１１に示す組成の水ベース系ゲル状消臭剤を得た。
【表１１】
2009179711.tif 000016
【００７７】
実施例７：油性ゲル状消臭剤
（Ｉ）調製例４で調製したタバコ臭気消臭用香料組成物を用い、下記表１２に示す組成の油性ゲル状消臭剤用消臭組成物を調製した。
【表１２】
2009179711.tif 000017
【００７８】
（ＩＩ）下記表１３に示す成分を８０〜８５℃にて均一になるまで加熱撹拌し、その後冷却することにより油系ゲル状消臭剤を得た。
【表１３】
2009179711.tif 000018
【００７９】
実施例８：油性ゲル状消臭剤
下記表１４に示す成分を８０〜８５℃で均一になるまで加熱撹拌し、その後冷却することにより油系ゲル状消臭剤を得た。
【表１４】
2009179711.tif 000019
【００８０】
実施例９：エアゾール状消臭剤
（Ｉ）調製例５で調製したタバコ臭気消臭用香料組成物を用い、下記表１５に示す組成のエアゾール状消臭剤用消臭組成物を調製した。
【表１５】
2009179711.tif 000020
【００８１】
（ＩＩ）下記表１６に示す（Ａ）を撹拌溶解し、エアゾール缶に充填し、密封した後、（Ｂ）を注入してエアゾール状消臭剤を得た、噴射剤には一般的にエアゾール状消臭剤に使用されている液化プロパンガスを使用した。
【表１６】
2009179711.tif 000021
【００８２】
実施例１０：エアゾール状消臭剤
下記表１７に示す（Ａ）を撹拌溶解し、エアゾール缶に充填し、密封した後、（Ｂ）を注入してエアゾール状消臭剤を得た、噴射剤には一般的にエアゾール状消臭剤に使用されている液化プロパンガスを使用した。
【表１７】
2009179711.tif 000022
【００８３】
実施例１１：シャンプー
（Ｉ）調製例６で調製したタバコ臭気消臭用香料組成物を用い、下記表１８に示す組成のシャンプー用消臭組成物を調製した。
【表１８】
2009179711.tif 000023
【００８４】
（ＩＩ）下記表１９に示す成分を８０℃で撹拌して懸濁液とし、その後３５℃まで冷却してシャンプーを得た。
【表１９】
2009179711.tif 000024
【００８５】
実施例１２：シャンプー
下記表２０に示す成分を８０℃で撹拌して懸濁液とし、その後３５℃まで冷却してシャンプーを得た。
【表２０】
2009179711.tif 000025
【００８６】
実施例１３：ボディシャンプー
（Ｉ）調製例６で調製したタバコ臭気消臭用香料組成物を用い、下記表２１に示す組成のボディシャンプー用消臭組成物を調製した。
【表２１】
2009179711.tif 000026
【００８７】
（ＩＩ）下記表２２に示す成分を８０℃で撹拌して懸濁液とし、その後３５℃まで冷却してボディシャンプーを得た。
【表２２】
2009179711.tif 000027
【００８８】
実施例１４：ボディシャンプー
下記表２３に示す成分を８０℃で撹拌して懸濁液とし、その後３５℃まで冷却してボディシャンプーを得た。
【表２３】
2009179711.tif 000028
【００８９】
実施例１５：リンス
（Ｉ）調製例５で調製したタバコ臭気消臭用香料組成物を用い、下記表２４に示す組成のリンス用消臭組成物を調製した。
【表２４】
2009179711.tif 000029
【００９０】
（ＩＩ）下記表２５に示す成分を８０℃で均一になるまで加熱撹拌し、その後３５℃まで冷却してリンスを得た。
【表２５】
2009179711.tif 000030
【００９１】
実施例１６：リンス
下記表２６に示す成分を８０℃で均一になるまで加熱撹拌し、その後３５℃まで冷却してリンスを得た。
【表２６】
2009179711.tif 000031
【００９２】
実施例１７：ヨーグルトキャンディー
（Ｉ）調製例５で調製したタバコ臭気消臭用香料組成物を用い、下記表２７に示す組成のヨーグルトフレーバーを調製した。
【表２７】
2009179711.tif 000032
【００９３】
（ＩＩ）上記（Ｉ）で調製したヨーグルトフレーバーを用い、下記表２８に示す組成のヨーグルトキャンディーを調製した。
【表２８】
2009179711.tif 000033
【００９４】
実施例１８：洗口剤
（Ｉ）調製例６で調製したタバコ臭気消臭用香料組成物を用い、下記表２９に示す組成のマウスウォッシュフレーバーを調製した。
【表２９】
2009179711.tif 000034
【００９５】
（ＩＩ）上記（Ｉ）で調製したマウスウォッシュフレーバーを用い、下記表３０に示す組成の洗口剤を調製した。
【表３０】
2009179711.tif 000035
【００９６】
実施例１９：歯磨剤
（Ｉ）調製例６で調製したタバコ臭気消臭用香料組成物を用い、下記表３１に示す組成のツースペーストフレーバーを調製した。
【表３１】
2009179711.tif 000036
【００９７】
（ＩＩ）上記（Ｉ）で調製したツースペーストフレーバーを用い、下記表３２に示す組成の歯磨剤を調製した。
【表３２】
2009179711.tif 000037
【００９８】
実施例２０：口中剤
（Ｉ）調製例５で調製したタバコ臭気消臭用香料組成物を用い、下記表３３に示す組成のオーラルフレッシュフレーバーを調製した。
【表３３】
2009179711.tif 000038
【００９９】
（ＩＩ）上記（Ｉ）で調製したオーラルフレッシュフレーバーを用い、下記表３４に示す組成の口中剤を調製した。
【表３４】
2009179711.tif 000039
【０１００】
実施例２１：チューインガム
（Ｉ）調製例６で調製したタバコ臭気消臭用香料組成物を用い、下記表３５に示す組成のチューインガム用フレーバーを調製した。
【表３５】
2009179711.tif 000040
【０１０１】
（ＩＩ）上記（Ｉ）で調製したチューインガム用フレーバーを用い、下記表３６に示す組成のチューインガムを調製した。
【表３６】
2009179711.tif 000041
【０１０２】
実施例２２：錠菓
（Ｉ）調製例６で調製したタバコ臭気消臭用香料組成物を用い、下記表３７に示す組成の錠菓用フレーバーを調製した。
【表３７】
2009179711.tif 000042
【０１０３】
（ＩＩ）上記（Ｉ）で調製した錠菓用フレーバーを用い、下記表３８に示す組成の錠菓を調製した。
【表３８】
2009179711.tif 000043
【０１０４】
実施例２３：ゼラチンカプセル基剤
（Ｉ）調製例５で調製したタバコ臭気消臭用香料組成物を用い、下記表３９に示す組成のゼラチンカプセル用フレーバーを調製した。
【表３９】
2009179711.tif 000044
【０１０５】
（ＩＩ）上記（Ｉ）で調製したゼラチンカプセル用フレーバーを用い、下記表４０に示す組成のゼラチンカプセル基剤を調製した。
【表４０】
2009179711.tif 000045
【０１０６】
上記実施例で調製した粒状消臭剤（実施例１〜２）、ミスト状消臭剤（実施例３〜４）、水ベース系ゲル状消臭剤（実施例５〜６）、油性ゲル状消臭剤（実施例７〜８）、エアゾール状消臭剤（実施例９〜１０）、シャンプー（実施例１１〜１２）、ボディシャンプー（実施例１３〜１４）、リンス（実施例１５〜１６）、ヨーグルトキャンディー（実施例１７）、洗口剤（実施例１８）、歯磨剤（実施例１９）、口中剤（実施例２０）、チューインガム（実施例２１）、錠菓（実施例２２）、およびゼラチンカプセル基剤（実施例２３）は、それらのタバコ副流煙に対する消臭効果と使用感を評価したところ、いずれも、消臭効果に優れ、使用感も良好であった。